(57)【要約】【課題】耐久性に優れ、鮮やかで多彩なデザイン表現が可能で、小ロットでも効率良く生産することができる遊技盤及びその製造方法を提供する。【解決手段】合成樹脂製の基板２０と、基板２０の前面２０ａに接着される印刷シート１０と、を備え、印刷シート１０は、遊技盤１の前面１ａに露出する透明な樹脂シート１１と、樹脂シート１１の背面に形成される補強接着層１２と、補強接着層１２の背面に形成される印刷層１３と、印刷層１３の背面に形成される透過剤層１４と、透過剤層の背面に形成され基板２０と印刷シート１０とを接合する接着層１５と、を有する。これにより、基板２０と印刷層１３とによって多彩な図柄を表現でき、その図柄を樹脂シート１１で保護し、きれいに維持できる。また、補強接着層１２及び接着層１５により印刷シート１０の剥離を防止でき、遊技盤１の耐久性、被削性、生産性を高めることができる。【選択図】図２
2015043909.tif 000002
【特許請求の範囲】
【請求項１】
合成樹脂製の基板と、前記基板の前面に接着される印刷シートと、を備え、
前記印刷シートは、遊技盤の前面に露出する透明な樹脂シートと、前記樹脂シートの背面に形成される補強接着層と、前記補強接着層の背面に形成される印刷層と、前記印刷層の背面に形成される透過剤層と、前記透過剤層の背面に形成され前記基板と前記印刷シートとを接合する接着層と、を有することを特徴とする遊技盤。
【請求項２】
前記樹脂シートは、酢酸酪酸セルロースを主原料とすることを特徴とする請求項１に記載の遊技盤。
【請求項３】
透明な樹脂シートを準備し、該樹脂シートの一主面に補強接着層を形成する工程と、
前記補強接着層の上に印刷層を形成する工程と、
前記印刷層の上に透過剤層を形成する工程と、
前記透過剤層の上に接着層を形成する工程と、
前記接着層が形成された前記樹脂シートを乾燥させる工程と、を有する印刷シート形成工程と、
合成樹脂製の基板を準備し、該基板の遊技領域側となる表面に前記接着層と同じ原料からなる接着剤を塗布する工程と、を有する基板準備工程と、
前記印刷シートを前記接着層が前記基板の前記接着剤が塗布された表面に対向するよう配置して、前記基板と前記印刷シートとを接着する接着工程と、を具備することを特徴とする遊技盤の製造方法。
【請求項４】
前記樹脂シートは、酢酸酪酸セルロースを主原料とすることを特徴とする請求項３に記載の遊技盤の製造方法。
【請求項５】
前記印刷シート形成工程は、前記印刷層の表面を粗面化する工程と、を有し、
前記透過剤層を形成する工程では、前記粗面化された前記印刷層の上に前記透過剤層を形成し、
前記基板準備工程は、前記基板の遊技領域側となる表面を粗面化する工程と、を有し、
前記接着剤を塗布する工程では、前記粗面化された表面に前記接着剤を塗布することを特徴とする請求項３または請求項４に記載の遊技盤の製造方法。
【請求項６】
前記接着工程の後に、前記印刷シートが接着された前記基板に部品取付孔を切削形成する切削工程と、を実行することを特徴とする請求項３ないし請求項５の何れか１項に記載の遊技盤の製造方法。
【発明の詳細な説明】
【技術分野】
【０００１】
本発明は、パチンコ等の遊技機に用いられる遊技盤及びその製造方法に関し、特に、合成樹脂製の基板を有する遊技盤及びその製造方法に関する。
【背景技術】
【０００２】
従来、パチンコ等の弾球遊技機の遊技盤としては、木製の合板を用いたものが主流であった。近年、木材に代わる素材として、透過光を利用した多彩なデザイン表現が可能である合成樹脂材料を用いた遊技盤が知られている（例えば、特許文献１、特許文献２）。
【０００３】
この種の遊技盤において、合成樹脂製の基板の背面、即ち遊技領域を形成する表面の反対側の表面に、図柄が印刷された印刷フィルムや装飾部品を取り付けることが知られている。例えば、特許文献１には、透明樹脂シートの釘打ちされる表面の反対側の表面に、印刷加工が施された印刷フィルムを、接着層を介して積層した遊技盤が開示されている。
【０００４】
また、合成樹脂製の基板の前面、即ち遊技領域側の表面に、熱転写によって絵柄層を形成することが知られている。例えば、特許文献２には、ベースフィルムに離形層とハードコート層と絵柄層と接着層とを積層してなる転写フィルムを、前記接着層を内側にして合成樹脂製の遊技盤の表面に配設し、ロール式転写装置により圧着し、前記遊技盤の表面に透明なハードコート層と絵柄層とを転写することが記載されている。
【先行技術文献】
【特許文献】
【０００５】
【特許文献１】特開２０１０−２７９４６６号公報（第４頁、第１図）
【特許文献２】特開２０１１−１０１７９１号公報（第４−５頁、第８図）
【発明の概要】
【発明が解決しようとする課題】
【０００６】
しかしながら、特許文献１に開示された従来技術の遊技盤のように、合成樹脂製の基板の背面に印刷フィルム等を取り付ける方法では、基板の前面が遊技球によって傷つけられ、印刷された図柄や装飾が見難くなるとう問題点があった。
【０００７】
また、特許文献２に開示された従来技術のように、遊技盤の前面に熱転写を利用して図柄を形成する方法によっても、遊技盤表面の耐久性は十分ではなかった。即ち、繰り返し衝突する流下遊技球によって、表面のハードコート層が削り取られ、遊技盤の美観が損なわれてしまうという問題点があった。
【０００８】
また、熱転写方式においては、転写フィルムが非常に薄いのでしわになり易く、製造工程において、その取り扱いが難しかった。そのため、転写面に気泡等が生じ易く、不良発生率が高いという問題点がある。また、熱転写方式は、ベースフィルムに所定形態のハードコート層や絵柄層が形成された転写フィルムを予め用意する必要があるので、小ロット生産に適さないという問題点もある。また更に、熱転写方式は、オフセット印刷に比べて、印刷層の鮮やかさが劣るという問題点もある。
【０００９】
また、従来の木製合板を用いた遊技盤のように、遊技盤を構成する基板の前面に合成樹脂製の印刷シートを接着することも考えられる。しかし、従来技術の印刷方法や接合方法では、合成樹脂製の印刷シートと合成樹脂製の基板との接合強度が弱く、印刷層の剥がれや、印刷シートの剥離等が発生してしまう。特に、印刷シートを貼付した後の遊技盤の切削加工性が悪く、切削加工によって加工部付近の印刷シートが剥離してしまうとう問題点があった。
【００１０】
本発明は、上記の事情に鑑みてなされたものであり、その目的とするところは、耐久性に優れ、鮮やかで多彩なデザイン表現が可能で、小ロットでも効率良く生産することができる遊技盤及びその製造方法を提供することにある。
【課題を解決するための手段】
【００１１】
本発明の遊技盤は、合成樹脂製の基板と、前記基板の前面に接着される印刷シートと、を備え、前記印刷シートは、遊技盤の前面に露出する透明な樹脂シートと、前記樹脂シートの背面に形成される補強接着層と、前記補強接着層の背面に形成される印刷層と、前記印刷層の背面に形成される透過剤層と、前記透過剤層の背面に形成され前記基板と前記印刷シートとを接合する接着層と、を有することを特徴とする。
【００１２】
また、本発明の遊技盤の製造方法は、透明な樹脂シートを準備し、該樹脂シートの一主面に補強接着層を形成する工程と、前記補強接着層の上に印刷層を形成する工程と、前記印刷層の上に透過剤層を形成する工程と、前記透過剤層の上に接着層を形成する工程と、前記接着層が形成された前記樹脂シートを乾燥させる工程と、を有する印刷シート形成工程と、合成樹脂製の基板を準備し、該基板の遊技領域側となる表面に前記接着層と同じ原料からなる接着剤を塗布する工程と、を有する基板準備工程と、前記印刷シートを前記接着層が前記基板の前記接着剤が塗布された表面に対向するよう配置して、前記基板と前記印刷シートとを接着する接着工程と、を具備することを特徴とする。
【発明の効果】
【００１３】
本発明の遊技盤によれば、合成樹脂製の基板の前面に印刷シートを接着している。これにより、印刷層に表された図柄を遊技盤の前方から鮮明に視認することができる。また、印刷シートの印刷層は、該印刷層よりも前方に形成され遊技盤の前面に露出する樹脂シートによって覆われているので、遊技球によって削り取られることなく、鮮明な図柄を維持することができる。
【００１４】
また、本発明に係る印刷シートは、樹脂シートと印刷層との間に補強接着層が形成されている。これにより、樹脂シートと印刷層との接着強度を高め、印刷層の剥離を防止することができる。
【００１５】
また、印刷シートには、印刷層の背面に透過剤層が形成されている。これにより、印刷シートの透過性を高め、印刷層の色彩を鮮やかに表現することができる。
【００１６】
また、印刷シートの樹脂シートの主原料として、酢酸酪酸セルロース（ＣＡＢ：Ｃｅｌｌｕｌｏｓｅ  Ａｃｃｅｔａｔｅ  Ｂｕｔｙｌａｔｅ）を採用しても良い。これにより、遊技球との衝突や摩擦に対して優れた耐久性を発揮し、遊技盤表面の傷つきや曇りを防止することができる。その結果、長期に亘って美しい盤面を維持することができる。
【００１７】
また、酢酸酪酸セルロースを主原料とする樹脂シートは、優れた被削性を有するので、印刷シートと基板とが接着された後に遊技盤を切削加工することができる。その結果、印刷シートの形状が簡略化されると共に部品点数を削減することができ、印刷シートの貼り付け作業が容易になり、遊技盤の生産効率を向上させることができる。
【００１８】
また、本発明によれば、印刷シートに接着層を形成した後に乾燥させ、基板に前記接着層と同じ原料からなる接着剤を塗布した後、前記印刷シートと前記基板とを接着している。これにより、印刷シートと基板との接着強度を確保し、印刷シートが基板から剥離してしまうことを防止できる。その結果、切削加工時の不良発生を防止できると共に、製品の耐久性を高めることができる。
【００１９】
また、印刷シート形成工程においては、形成された印刷層の表面を粗面化する工程を有し、前記粗面化された印刷層の上に透過剤層を形成しても良い。これにより、印刷層と透過剤層との接合強度を高め、印刷シートの剥離を防止し、遊技盤の切削加工性、耐久性を更に高めることができる。
【００２０】
また更に、基板準備工程においては、基板の遊技領域側となる表面を粗面化する工程を有し、前記粗面化された表面に接着剤を塗布して印刷シートを接着しても良い。これにより、印刷シートと基板との接着強度を更に高めることができる。
【図面の簡単な説明】
【００２１】
【図１】本発明の実施形態に係る遊技盤の概略構成を示す斜視図である。
【図２】本発明の実施形態に係る遊技盤の概略構成を示す断面図である。
【図３】本発明の実施形態に係る遊技盤の製造工程を示すフローチャートである。
【図４】本発明の実施形態に係る印刷シート形成工程の（Ａ）補強用接着層形成、（Ｂ）印刷層形成及び粗面化処理、（Ｃ）透過剤層形成、（Ｄ）接着層形成及び乾燥を説明する断面図である。
【図５】本発明の実施形態に係る基板準備工程の（Ａ）粗面化処理、（Ｂ）接着剤塗布を説明する断面図である。
【図６】本発明の実施形態に係る接着工程を説明する断面図である。
【発明を実施するための形態】
【００２２】
以下、本発明の実施形態に係る遊技盤及びその製造方法を図面に基づき詳細に説明する。
図１は、本発明の実施形態に係る遊技盤１の概略構成を示す斜視図である。
【００２３】
遊技盤１は、パチンコ等の弾球遊技機（図示せず）に用いられ、遊技球（図示せず）が流下する遊技領域３０を形成する台板（背面板）であり、図１に示すように、略板状の形態を成している。遊技盤１の前面１ａ（図１において上方を向く表面）は、遊技機に取り付けられた際に遊技者側を向く表面であり、遊技盤１の前方に取り付けられる図示しないガラス板と対向し、該ガラス板との間隙に遊技領域３０を形成する。
【００２４】
遊技盤１には、図柄表示装置、各種表示ランプ、各種入賞口、各種入球装置、装飾部品等を取り付けるための部品取付孔３１ａ〜３１ｄや、その他図示しない取付孔等が形成されている。また、遊技盤１の前面１ａには、図示しない障害釘が打ち込まれる。
【００２５】
図２は、遊技盤１の概略構成を示す断面略図である。図２において、紙面左側が遊技機の前面側である。
図２に示すように、遊技盤１は、合成樹脂製の基板２０と、その前面２０ａに接着される印刷シート１０と、を有する。
【００２６】
印刷シート１０は、遊技盤１の前面１ａを構成する樹脂シート１１と、樹脂シート１１の背面に形成される補強接着層１２と、補強接着層１２の背面に形成される印刷層１３と、印刷層１３の背面に形成される透過剤層１４と、透過剤層１４の背面に形成される接着層１５と、を有する。
【００２７】
樹脂シート１１は、合成樹脂製の透明なシート材（フィルム材）であり、遊技盤１の前面１ａに露出し、その背面側に形成される印刷層１３等を保護するものである。樹脂シート１１としては、例えば、ポリエチレンテレフタレート（ＰＥＴ）、ポリプロピレン（ＰＰ）、酢酸セルロース等、各種合成樹脂製のシート材を採用し得る。特に、酢酸酪酸セルロース（ＣＡＢ）製のシート材（以下、適宜「ＣＡＢシート」と言う。）が適しており、本実施形態では、樹脂シート１１として、ＣＡＢシートを採用している。
【００２８】
ＣＡＢシートは、耐衝撃性に優れているので、樹脂シート１１としてＣＡＢシートを採用することにより、繰り返し衝突する遊技球によって印刷層１３が損傷してしまうことを防止できる。
【００２９】
また、ＣＡＢシートは、耐摩耗性に優れているので、遊技球が衝突しても該表面、即ち遊技盤１の前面１ａとなる表面に、傷や曇りが発生し難い。そのため、長期に亘って樹脂シート１１の透明性を確保することができ、印刷層１３の図柄や、遊技盤１の背面の装飾表示や装飾照明等を鮮明に視認できる状態を維持することができる。
【００３０】
また、ＣＡＢシートは、耐衝撃性に併せて被削性も優れている。そのため、部品取付孔３１ａ（図１参照）等を切削加工する際や障害釘を打ち込む際に、バリの発生や、保護シートの剥離、折れ、割れ、曇り等の不具合が発生することを防止できる。これにより、不良率を低減できると共に、作業効率を向上させることができる。
【００３１】
また、ＣＡＢシートは、透明性に優れ光沢があるので、印刷の深みや高級感を醸し出すことができる。また更に、ＣＡＢシートは、植物由来の原料を使用して生産できるので、環境面においても優れている。
【００３２】
樹脂シート１１の背面には、補強接着層１２が形成されている。補強接着層１２は、透明な接着剤で形成された層であり、樹脂シート１１と印刷層１３との接着強度を高めるものである。これにより、樹脂シート１１と印刷層１３との剥離を防止することができる。
【００３３】
補強接着層１２の背面には、遊技盤１を装飾するための様々な模様や色彩、文字等の図柄を印刷して形成された印刷層１３が設けられる。また、必要に応じて、透光性を有するインクを用いて印刷層１３を形成しても良い。これにより、遊技盤１を透過する光を利用した多彩なデザイン表現が可能となる。
【００３４】
印刷層１３の背面には、透過剤層１４が形成されている。透過剤層１４は、透明なインクによって形成された層である。透過剤層１４を形成することにより、印刷層１３との積層境界面における散乱光を減らし、印刷シート１０の透明性を高めることができる。これにより、印刷層１３の図柄を鮮明に美しく表現できる。
【００３５】
透過剤層１４の背面には、接着層１５が形成される。接着層１５は、透明な接着剤によって形成された層であり、印刷シート１０と基板２０とを接着するものである。特に、本実施形態では、後述する接合方法により、優れた接着強度を発揮し、印刷シート１０の剥離を防止することができる。
【００３６】
基板２０は、合成樹脂製の透明な板状体である。前述の通り、基板２０の前面側の表面２０ａに印刷シート１０が接着されている。基板２０の材質としては、例えば、ポリメタクリル酸メチル樹脂（ＰＭＭＡ）（いわゆるアクリル樹脂）、ポリカーボネイト（ＰＣ）、ポリエチレンテレフタラート（ＰＥＴ）等の合成樹脂材料を用いることができる。本実施形態では、基板２０の材質として、アクリル樹脂を用いている。アクリル樹脂は、透明性が高いので、遊技盤１の背面に配置される装飾用照明等から発せられる様々な色調の光を鮮やかに透過することができる。また、アクリル樹脂は、耐衝撃性に優れているので、遊技球の衝突に耐えることができると共に、生産時の取り扱いも容易である。また更に、優れた被削性を有するので、切削加工も容易に行うことができる。
【００３７】
次に、図３ないし図６を参照して、遊技盤１の製造工程について詳細に説明する。
図３は、遊技盤１の製造工程を示すフローチャートである。
【００３８】
図３に示すように、遊技盤１の製造工程は、印刷シート１０を形成する印刷シート形成工程Ａ（Ｓ１０〜Ｓ１６）と、合成樹脂製の基板２０を準備する基板準備工程Ｂ（Ｓ２０〜Ｓ２２）と、印刷シート１０と基板２０とを接合する接着工程Ｃ（Ｓ３０）と、を具備する。
【００３９】
図４（Ａ）は、印刷シート形成工程Ａの樹脂シート１１を準備し（Ｓ１０）、補強用接着層１２を形成する工程Ｓ１１、同図（Ｂ）は、印刷層１３を形成する工程Ｓ１２及び粗面化処理する工程Ｓ１３、同図（Ｃ）は、透過剤層１４を形成する工程Ｓ１４、同図（Ｄ）は、接着層１５Ａを形成する工程Ｓ１５及び印刷シート１０を乾燥させる工程Ｓ１６を説明する断面図である。尚、図４（Ａ）ないし（Ｄ）において、紙面下方が、遊技機に取り付けた際に前面側となる方向である。
【００４０】
先ず、図３及び図４（Ａ）に示すように、透明な樹脂シート１１を準備し（Ｓ１０）、その一主面１１ｂ、即ち遊技機に取り付けた際に背面側となる表面１１ｂに、補強接着層１２を形成する（Ｓ１１）。補強接着層１２は、透明な接着剤を用いて、スクリーン印刷によって形成される。これにより、均一な厚みで、効率的に、補強接着層１２を形成することができる。
【００４１】
そして、図３及び図４（Ｂ）に示すように、補強接着層１２の上（表面１２ｂ）に、オフセット印刷によって、印刷層１３を形成する（Ｓ１２）。このように、補強接着層１２を形成した後に、印刷層１３を形成することにより、印刷層１３の剥離強度を高めることができる。そして、印刷層１３の剥離を防止することにより、基板２０の材質として合成樹脂材料を採用し、その前面２０ａ（図２参照）に印刷シート１０を接着するという構成が可能となる。また、オフセット印刷で印刷層１３を形成しているので、美しい印刷面を高速度に形成でき、小ロットの生産にも適している。
【００４２】
次に、印刷層１３の上、即ち背面側となる表面１３ｂを、低温プラズマ照射（ＣＰ：Ｃｏｌｄ  Ｐｌａｓｍａ）により粗面化する。これにより、印刷層１３の表面１３ｂを改質して濡れ性を向上させ、印刷層１３と、後の工程でその上に形成される透過剤層１４との接着強度を向上させて、印刷層１３の剥離強度を高めることができる。
【００４３】
次に、図３及び図４（Ｃ）に示すように、印刷層１３の粗面化された表面１３ｂの上に透過剤層１４を形成する（Ｓ１４）。透過剤層１４の原料となる透過剤は、透明なインクであり、透過剤層１４は、スクリーン印刷によって当該インクを塗布することにより形成される。透過剤層１４を形成することにより、印刷層１３の色彩を鮮明にすることができる。
【００４４】
次に、図３及び図４（Ｄ）に示すように、透過剤層１４の上（表面１４ｂ）に、スクリーン印刷によって接着剤を塗布し、接着層１５Ａを形成する（Ｓ１５）。スクリーン印刷によって接着層１５Ａを形成することにより、接着層１５Ａを均一な厚みで効率良く形成することができ、美しい仕上がりと高い接着強度を確保することができる。
【００４５】
そして、接着層１５Ａが形成された後の印刷シート１０を、熱風コンベア式乾燥炉で乾燥させる（Ｓ１６）。これにより、印刷層１３や接着層１５Ａ等が乾燥して固定されるので、接着層１５Ａの剥がれ落ちや、印刷層１３等の剥離を防止することができ、後の工程における印刷シート１０の取り扱いが容易になる。その結果、製品の品質を維持しつつ、後の工程の作業効率を高めることができる。また、完成後の印刷シート１０と基板２０との接着強度や、印刷層１３の剥離強度を高めることができる。
【００４６】
ここで、前述の乾燥工程は、具体的には、６０〜７０℃の温度条件の下、２〜３分間の乾燥を行う。乾燥温度が７０℃を超えると、樹脂シート１１等の変形等が発生し、品質が劣化する。他方、乾燥温度が６０℃より低いと、乾燥が不十分となり、十分な接合強度が得られなくなってしまう。また、乾燥時間を３分間よりも長くすると、樹脂シート等の品質が劣化すると共に、生産性が低下し、乾燥時間を２分間よりも短くすると、不完全な乾燥により接合強度が低下してしまう。
【００４７】
図５（Ａ）は、遊技盤１の基板準備工程Ｂの基板２０を準備し（Ｓ２０）、粗面化処理をする工程Ｓ２１、同図（Ｂ）は、接着剤１５Ｂを塗布する工程Ｓ２２を説明する断面図である。尚、図５（Ａ）及び（Ｂ）において、紙面上方が、遊技機に取り付けた際に前面側となる方向である。
【００４８】
図３及び図５（Ａ）に示すように、合成樹脂製の基板２０を準備し（Ｓ２０）、その一主面２０ａ、即ち遊技機に取り付けた際に前面側となる表面２０ａを、低温プラズマ照射により粗面化する。これにより、基板２０の表面２０ａを改質して濡れ性を向上させ、印刷シート１０（図４参照）との接着性を高めることができる。
【００４９】
次に、図３及び図５（Ｂ）に示すように、基板２０の粗面化された表面２０ａの上に、接着剤１５Ｂを塗布する。ここで、接着剤１５Ｂは、印刷シート１０（図４参照）の接着層１５Ａ（図４（Ｄ）参照）を形成する接着剤と同種類の接着剤である。接着層１５Ａと接着剤１５Ｂとを同じ原料からなる接着剤で構成することにより、基板２０と印刷シート１０との接着強度を更に高めることができる。
【００５０】
また、接着剤１５Ｂは、ロールコータによって塗布される。具体的には、基板２０を、一方のローラ表面に接着剤が供給される一対のローラの間を通過させることにより、基板２０の一方の表面２０ａに接着剤１５Ｂが塗布される。これにより、均一な厚みで高速度に接着剤１５Ｂを塗布することができる。
【００５１】
図６は、遊技盤１の接着工程Ｃを説明する断面図である。尚、図６において、紙面上方が、遊技機に取り付けた際に前面側となる方向である。
【００５２】
図３及び図６に示すように、印刷シート１０を、基板２０の接着剤１５Ｂが塗布された表面２０ａに配置する。その際、印刷シート１０の接着層１５Ａが、基板２０の接着剤１５Ｂが塗布された表面２０ａに対向するようにする。
【００５３】
そして、基板２０と印刷シート１０とを加圧して接着する（Ｓ３０）。これにより、接着層１５Ａと接着剤１５Ｂとが一体的に固着し、接着層１５が形成され、基板２０と印刷シート１０とが強固に接着される。
【００５４】
以上の工程により、合成樹脂製の基板２０の前面２０ａに印刷シート１０が接着された、遊技盤１の素材としての板状体が完成する（Ｓ３１）。
【００５５】
そして、図３に示すように、基板２０と印刷シート１０とが接着された後に、遊技盤１に部品取付孔３１ａ（図１参照）等を、ＮＣ（数値制御）ルータマシン等を用いて切削加工する（Ｓ４０）。
【００５６】
ここで、前述の通り、本実形態に係る遊技盤１は、被削性に優れる酢酸酪酸セルロース製の樹脂シート１１を有する印刷シート１０が、被削性に優れるアクリル樹脂製の基板２０に、接着層１５によって高強度に接合されている。また、印刷層１３の剥離を防止するため補強接着層１２を有し、更には、印刷層１３及び基板２０には、接合強度を高めるための粗面化処理（Ｓ１３、Ｓ２１）が施されている。
【００５７】
これらにより、遊技盤１は、基板２０と印刷シート１０とが接着された状態においても優れた被削性を有し、その結果、バリの発生や、印刷層１３の剥離等を発生させずに遊技盤１の切削加工を行うことができる。
【００５８】
このように、基板２０と印刷シート１０とを接着した後に、部品取付孔３１ａ等を切削形成することにより、装飾部品等の部品点数を削減し、組み立て作業工程を減らすことができる。
【００５９】
即ち、接着後の切削ができない場合には、予め基板２０に部品取付孔３１ａ等を加工しておき、その形状に合わせた複雑な形状の印刷シート１０を準備する必要がある。或いは、印刷シート１０を複数のシート部品に分割したり、印刷シート１０に代わる複数の装飾体を準備して取り付けたりする必要がある。
【００６０】
これに対して、本実施形態に係る遊技盤１では、略四角形状の印刷シート１０を１枚準備して基板２０に接着し、接合された基板２０と印刷シート１０とを容易に所定形状に切削することができる。これにより、遊技盤１の生産コストを低減することができる。
【００６１】
そして更に、遊技盤１の前面１ａ（図２参照）に障害釘を打ち付け、その他の装飾部品等を取り付けた後（Ｓ４１）、遊技盤１は、遊技機に組み付けられる。釘打ち等の工程においても、本実施形態に係る遊技盤１は、優れた加工特性を発揮し、印刷シート１０の剥離や変形等の品質不良の発生が少ない。
【００６２】
以上、本発明の実施形態について説明したが、本発明は、上記実施形態に限定されるものではなく、その他、本発明の要旨を逸脱しない範囲で、種々の変更実施が可能である。
【符号の説明】
【００６３】
１        遊技盤
１ａ      遊技盤の前面
１０      印刷シート
１１      樹脂シート
１２      補強用接着層
１３      印刷層
１４      透過剤層
１５      接着層
１５Ａ    接着層
１５Ｂ    接着剤
２０      基板
２０ａ    基板の前面
３０      遊技領域
３１ａ〜３１ｄ      部品取付孔
【図１】
2015043909.tif 000003
【図２】
2015043909.tif 000004
【図３】
2015043909.tif 000005
【図４】
2015043909.tif 000006
【図５】
2015043909.tif 000007
【図６】
2015043909.tif 000008